(57)【要約】      （修正有）【課題】第１セルラー基地局から周辺のアクティブ状態にある第２セルラーユーザに対する下り干渉を低減させ、第２セルラーユーザと第２セルラー基地局との通信品質を保証できる、２層以上の無線ネットワークカバレッジを有する無線セルラーネットワークにおける干渉抑制方法およびその装置を提供する。【解決手段】無線セルラーネットワークにおける干渉抑制方法は、アクティブ状態にある第２セルラーユーザが周辺のある第１セルラー基地局の下り干渉を受ける場合、第１セルラー基地局に対して、その下り干渉を受ける第２セルラーユーザが現在存在していることを通知し、第１セルラー基地局が、自局との通信を行っている第１セルラーユーザで使用されるスペクトルリソースを再割り当てすることを含む。【選択図】図１
2010288282.tif 000002
【特許請求の範囲】
【請求項１】
無線セルラーネットワークにおける干渉抑制方法であって、
アクティブ状態にある第２セルラーユーザが周辺のある第１セルラー基地局の下り干渉を受ける場合、前記第１セルラー基地局に対して、その下り干渉を受ける前記第２セルラーユーザが現在存在していることを通知し、
前記第１セルラー基地局が、自局との通信を行っている第１セルラーユーザで使用されるスペクトルリソースを再割り当てする、
ことを含むことを特徴とする方法。
【請求項２】
前記第１セルラー基地局に対して、その下り干渉を受ける前記第２セルラーユーザが存在していることを通知することには、
前記第２セルラーユーザが、それに対して下り干渉を生じる前記第１セルラー基地局が周辺に存在していることを検出した場合、前記第２セルラーユーザに対して下り干渉を生じる前記第１セルラー基地局の物理セルＩＤ（ＰＣＩ）が付けられている測定報告を、第２セルラー基地局へ送信し、
前記第２セルラー基地局が、受信された前記第１セルラー基地局の前記ＰＣＩが混同されるかどうかを判断し、該ＰＣＩが混同された場合、前記第１セルラー基地局のＥ−ＵＴＲＡＮセルグローバルＩＤ（ＥＣＧＩ）を読み取る旨のメッセージを前記第２セルラーユーザへ送信し、かつ、前記第２セルラーユーザから報告された前記第１セルラー基地局の前記ＥＣＧＩを受信し、該ＰＣＩが混同されない場合、前記第２セルラーユーザから報告された前記第１セルラー基地局の前記ＰＣＩにより、前記第１セルラー基地局の前記ＥＣＧＩを得て、
前記第２セルラー基地局が、前記第２セルラーユーザに対して下り干渉を生じる前記第１セルラー基地局の前記ＥＣＧＩが付けられている第２セルラーユーザ到達メッセージを、モビリティマネージメントエンティティ（ＭＭＥ）に送信し、
前記ＭＭＥが、受信された前記第２セルラーユーザ到達メッセージを、前記第２セルラーユーザに対して下り干渉を生じる前記第１セルラー基地局に転送する、
ことを含むことを特徴とする請求項１に記載の方法。
【請求項３】
前記第１セルラー基地局に対して、その下り干渉を受ける前記第２セルラーユーザが存在していることを通知することには、
前記第２セルラーユーザが、それに対して下り干渉を生じる前記第１セルラー基地局が周辺に存在していることを検出した場合、予約されたリソースブロックの１つまたは複数のサブキャリアで信号を送信し、
前記第１セルラー基地局が、前記予約されたリソースブロックの前記サブキャリアでエネルギー検出を行い、前記予約されたリソースブロックの前記サブキャリアで検出されたエネルギーが予め設定された閾値より大きい場合、前記第１セルラー基地局の下り干渉を受ける前記第２セルラーユーザが存在していると判断する、
ことを含むことを特徴とする請求項１に記載の方法。
【請求項４】
前記第２セルラーユーザが、それに対して下り干渉を生じる前記第１セルラー基地局が周辺に存在していることを検出することには、
前記第２セルラーユーザが、自局で受信した基地局の基準信号受信電力（ＲＳＲＰ）が予め設定された閾値を超えるかどうかを検出し、超えた場合、前記ＲＳＲＰが閾値を超えた基地局の物理セルＩＤ（ＰＣＩ）が特定の加入者グループのセルＩＤの範囲に属するかどうか、および、前記基地局が前記第２セルラーユーザのワイトリストにあるかどうか、をさらに判断し、
前記ＲＳＲＰが閾値を超えた基地局の中に、前記ＰＣＩが特定の加入者グループのセルＩＤの範囲に属して、かつ前記第２セルラーユーザのワイトリストにない基地局が存在している場合、前記第２セルラーユーザが、それに対して下り干渉を生じる前記第１セルラー基地局が周辺に存在していると判断できる、
ことを含むことを特徴とする請求項２または３に記載の方法。
【請求項５】
前記第１セルラー基地局が、自局との通信を行っている前記第１セルラーユーザで使用される前記スペクトルリソースを再割り当てすることには、
前記第１セルラー基地局との通信を行っていて、かつ元々共有スペクトルリソースを使用している前記第１セルラーユーザに、前記第２セルラー基地局と共有しないスペクトルリソースを再割り当てして、前記第２セルラー基地局と共有するスペクトルリソースを解放し、および／または、
前記第１セルラー基地局との通信を行っている前記第１セルラーユーザの非リアルタイムサービスで使用されるスペクトルリソースを、部分的にまたは全部解放し、および／または、
前記第１セルラーユーザのサービス品質（ＱｏＳ）またはユーザ体感品質（ＱｏＥ）を低減させないという前提で、前記第１セルラー基地局との通信を行っている前記第１セルラーユーザのリアルタイムサービスで使用されるスペクトルリソースを、部分的に解放し、および／または、
前記第２セルラー基地局と前記第２セルラーユーザとの通信で使用されるクリティカルスペクトルリソースを解放する、
ことを含むことを特徴とする請求項１に記載の方法。
【請求項６】
前記第２セルラーユーザが、アクティブ状態からアイドル状態に遷移する場合、または、前記第２セルラーユーザに対して干渉を生じる前記第１セルラー基地局の下り干渉が予め設定された閾値より小さくなることを検出した場合、前記第１セルラー基地局に対して、前記第２セルラーユーザが該第１セルラー基地局の下り干渉を受けなくなることを通知する、
ことをさらに含むことを特徴とする請求項１に記載の方法。
【請求項７】
前記第１セルラー基地局は、前記第２セルラーユーザが該第１セルラー基地局の下り干渉を受けなくなることを知ると、自局との通信を行っている前記第１セルラーユーザで使用されるスペクトルリソースを再割り当てする、
ことをさらに含むことを特徴とする請求項６に記載の方法。
【請求項８】
前記第１セルラー基地局に対して、前記第２セルラーユーザが該第１セルラー基地局の下り干渉を受けなくなることを通知することには、
前記第２セルラーユーザが、前記第２セルラーユーザに対して下り干渉を生じる前記第１セルラー基地局のＰＣＩまたはＥＣＧＩが付けられている測定報告を、第２セルラー基地局に送信し、
前記第２セルラー基地局が、前記第２セルラーユーザに対して下り干渉を生じる前記第１セルラー基地局の前記ＥＣＧＩが付けられている第２セルラーユーザ出発メッセージを、ＭＭＥに送信し、
前記ＭＭＥが前記第２セルラーユーザ出発メッセージを前記第１セルラー基地局に転送する、
ことを含むことを特徴とする請求項６に記載の方法。
【請求項９】
前記第１セルラー基地局に対して、前記第２セルラーユーザが該第１セルラー基地局の下り干渉を受けなくなることを通知することには、
前記第２セルラーユーザが、予約されたリソースブロックの１つまたは複数のサブキャリアでの信号送信を停止する、
ことを含むことを特徴とする請求項６に記載の方法。
【請求項１０】
前記第１セルラー基地局に対して、前記第２セルラーユーザが該第１セルラー基地局の下り干渉を受けなくなることを通知することには、
前記第２セルラーユーザが、予約されたリソースブロックの第２サブキャリアで信号を送信し、
前記第１セルラー基地局が、前記予約されたリソースブロックの前記第２サブキャリアでエネルギー検出を行い、前記第２サブキャリアのエネルギーが予め設定された閾値より大きいことが検出された場合、該第１セルラー基地局の下り干渉を受ける前記第２セルラーユーザが周辺に存在しないと判断する、
ことを含むことを特徴とする請求項６に記載の方法。
【請求項１１】
無線セルラーネットワークにおける干渉抑制方法であって、
アクティブ状態にある第２セルラーユーザが周辺のある第１セルラー基地局の下り干渉を受ける場合、第２セルラー基地局が、前記第１セルラー基地局で使用されていないスペクトルリソースを、前記第２セルラーユーザに再割り当てする、
ことを含むことを特徴とする方法。
【請求項１２】
前記第２セルラー基地局が、前記第１セルラー基地局で使用されていない前記スペクトルリソースを、前記第２セルラーユーザに再割り当てすることには、
前記第２セルラー基地局が、自局の一部または全部のスペクトルリソースを解放して、前記第１セルラー基地局で使用されていないスペクトルリソースを、前記第２セルラーユーザに再割り当てする、
ことを含むことを特徴とする請求項１１に記載の方法。
【請求項１３】
前記第２セルラーユーザが、アクティブ状態からアイドル状態に遷移する場合、または、前記第２セルラーユーザに対して干渉を生じる前記第１セルラー基地局の下り干渉が予め設定された閾値より小さくなることを検出した場合、前記第２セルラー基地局が、前記第２セルラーユーザで使用されるスペクトルリソースを再割り当てする、
ことをさらに含むことを特徴とする請求項１１に記載の方法。
【請求項１４】
前記スペクトルリソースが、サブキャリア、リソースブロック、コンポーネントキャリア、またはキャリアバンドである、ことを特徴とする請求項１〜１３のいずれか１項に記載の方法。
【請求項１５】
基地局であって、
自局の下り干渉を受ける第２セルラーユーザが存在していることを表す第２セルラーユーザ到達メッセージを、モビリティマネージメントエンティティ（ＭＭＥ）から受信する通知受信手段と、
前記第２セルラーユーザ到達メッセージを受信した後、自局との通信を行っている第１セルラーユーザで使用されるスペクトルリソースを再割り当てするリソース割り当て手段と、
を含むことを特徴とする基地局。
【請求項１６】
ユーザ端末であって、
自局に対して下り干渉を生じる第１セルラー基地局が周辺に存在するかどうかを検出する干渉検出手段と、
自局に対して下り干渉を生じる前記第１セルラー基地局が周辺に存在していることが検出された場合、自局に対して下り干渉を生じる前記第１セルラー基地局の物理セルＩＤ（ＰＣＩ）が付けられている測定報告を、第２セルラー基地局へ報告する干渉報告手段と、
を含むことを特徴とするユーザ端末。
【請求項１７】
前記第２セルラー基地局からの、前記第１セルラー基地局のＥＣＧＩを読み取る旨のメッセージを受信した後、自局に対して下り干渉を生じる前記第１セルラー基地局の前記ＥＣＧＩを決定して、決定された前記ＥＣＧＩを前記第２セルラー基地局に報告するＥ−ＵＴＲＡＮセルグローバルＩＤ（ＥＣＧＩ）報告手段、をさらに含むことを特徴とする請求項１６に記載のユーザ端末。
【請求項１８】
基地局であって、
第２セルラーユーザからの、前記第２セルラーユーザに対して下り干渉を生じる第１セルラー基地局の物理セルＩＤ（ＰＣＩ）が含まれている測定報告を受信する測定報告受信手段と、
受信された前記第１セルラー基地局の前記ＰＣＩが混同されるかどうかを判断し、該ＰＣＩが混同された場合、前記第１セルラー基地局のＥＣＧＩを読み取る旨のメッセージを前記第２セルラーユーザへ送信し、かつ、前記第２セルラーユーザからフィードバックされた前記第１セルラー基地局のＥＣＧＩを受信し、該ＰＣＩが混同されない場合、前記第２セルラーユーザから報告された前記第１セルラー基地局の前記ＰＣＩにより、前記第１セルラー基地局のＥＣＧＩを得るＥ−ＵＴＲＡＮセルグローバルＩＤ（ＥＣＧＩ）読み取り手段と、
前記第２セルラーユーザに対して下り干渉を生じる前記第１セルラー基地局の前記ＥＣＧＩが少なくとも付けられている第２セルラーユーザ到達メッセージを、モビリティマネージメントエンティティ（ＭＭＥ）へ送信する通知手段と、
を含むことを特徴とする基地局。
【請求項１９】
基地局であって、
予約されたリソースブロックのサブキャリアでエネルギー検出を行い、検出されたエネルギーが予め設定された閾値より大きい場合、自局の下り干渉を受ける第２セルラーユーザが周辺に存在していると判断する信号検出手段と、
自局の下り干渉を受ける第２セルラーユーザが周辺に存在していると判断した後、自局との通信を行っている第１セルラーユーザで使用されるスペクトルリソースを再割り当てすることで、自局から前記第２セルラーユーザに対する下り干渉を低減させるリソース割り当て手段と、
を含むことを特徴とする小セルラー基地局。
【請求項２０】
前記リソース割り当て手段は、
自局との通信を行っていて、かつ元々共有スペクトルリソースを使用している前記第１セルラーユーザに、第２セルラー基地局と共有しないスペクトルリソースを割り当てることにより、前記第２セルラー基地局と共有するスペクトルリソースを解放する非共有リソース再割り当てモジュール、および／または、
自局との通信を行っている前記第１セルラーユーザの非リアルタイムサービスで使用されるスペクトルリソースを、部分的にまたは全部解放する非リアルタイムサービスリソース解放モジュール、および／または、
前記第１セルラーユーザのサービス品質（ＱｏＳ）またはユーザ体感品質（ＱｏＥ）を低減させないという前提で、自局との通信を行っている前記第１セルラーユーザのリアルタイムサービスで使用されるスペクトルリソースを、部分的に解放するリアルタイムサービスリソース解放モジュール、および／または、
前記第２セルラー基地局と前記第２セルラーユーザとの通信で使用されるクリティカルスペクトルリソースを解放するクリティカルスペクトルリソース解放モジュール、
を含むことを特徴とする請求項１５または１９に記載の基地局。
【請求項２１】
ユーザ端末であって、
自局に対して下り干渉を生じる第１セルラー基地局が周辺に存在するかどうかを検出する干渉検出手段と、
前記自局に対して下り干渉を生じる第１セルラー基地局が周辺に存在していることが検出された場合、予約されたリソースブロックの１つまたは複数のサブキャリアで信号を送信する干渉通知手段と、
を含むことを特徴とするユーザ端末。
【請求項２２】
前記干渉検出手段は、
自局で受信した基地局の基準信号受信電力（ＲＳＲＰ）が予め設定された閾値を超えるかどうかを検出する基準信号受信電力検出モジュールと、
前記ＲＳＲＰが予め設定された閾値を超えた基地局のＰＣＩが特定の加入者グループのセルＩＤの範囲に属するかどうか、および、前記基地局が自局のワイトリストにあるかどうかを判断し、前記基地局のＰＣＩが特定の加入者グループのセルＩＤの範囲に属して、かつ前記基地局が自局のワイトリストにない場合、自局に対して下り干渉を生じる第１セルラー基地局が周辺に存在していることが検出されたと決定する基地局ＩＤ判断モジュールと、
を含むことを特徴とする請求項１６または２１に記載のユーザ端末。
【請求項２３】
基地局であって、
第２セルラーユーザからの、該第２セルラーユーザに対して下り干渉を生じる第１セルラー基地局の物理セルＩＤ（ＰＣＩ）が含まれている測定報告を受信する測定報告受信手段と、
前記第１セルラー基地局で使用されていないスペクトルリソースを前記第２セルラーユーザに再割り当てするリソース割り当て手段と、
を含むことを特徴とする基地局。
【発明の詳細な説明】
【技術分野】
【０００１】
本発明は無線通信技術分野に関し、特に、無線セルラーネットワークにおける干渉抑制方法およびその装置に関する。
【背景技術】
【０００２】
無線セルラーネットワークは、セルラー形式のネットワ−ク構成を利用して、モバイルユーザに音声やデ−タなどの通信サービスを提供する。通常、１つのセルラーセルは、一定の範囲の無線通信伝送のカバレッジを提供する。ここで、無線伝送のカバレッジ半径が最大となるセルラーセルは、マクロセルラーセル（Ｍａｃｒｏｃｅｌｌ）である。複数のマクロセルラーセルによって、広範囲でシームレスな無線通信伝送のカバレッジを実現できる。マクロセルラーセルをサポートする基地局は、マクロセルラー基地局と呼ばれ、送信電力がより大きく、アンテナの架設高さがより高い。例えば、３ＧＰＰ  ＬＴＥまたは３ＧＰＰ  ＬＴＥ―Ａネットワークにおける基地局ｅＮｏｄｅＢ（ｅＮＢ）などである。
【０００３】
無線セルラーネットワークの容量を増大させるとともに、そのカバレッジエリアにおける無線通信サービスの品質を高めるために、ホットスポットエリアや室内では、マクロセルラーよりも伝送半径が小さい無線セルラーセルのカバレッジ形式、例えば、マイクロセルラー（Ｍｉｃｒｏｃｅｌｌ）、ピコセルラー（Ｐｉｃｏｃｅｌｌ）、およびフェムトセルラー（Ｆｅｍｔｏｃｅｌｌ）などを採用してよい。これらのマクロセルラーよりも伝送半径が小さい無線セルラーセルの基地局は、通常、マクロセルラー基地局に比べて、送信電力が小さく、アンテナの架設高さが低い。
【０００４】
通常、前記異なる伝送半径を有する無線セルラーセルは、局所領域内に同時に存在できる。その場合、異なる伝送半径を有する無線セルラーセルの基地局は、カバレッジ範囲が重なる領域内で、２層以上の無線ネットワークの重なるカバレッジを提供する。つまり、伝送半径がより大きい無線セルラーセル（例えば、マクロセルラーセル）は、１層の無線ネットワークカバレッジを提供し、伝送半径がより小さい無線セルラーセル（例えば、フェムトセルラー）は、他の１層の無線ネットワークカバレッジを提供する。
【０００５】
本発明において、説明の便宜上、２層以上の無線ネットワークカバレッジを有する無線セルラーネットワークのうち、比較的大きな伝送半径を有する無線セルラーセルを大セルラーセルと呼び、比較的小さな伝送半径を有する無線セルラーセルを小セルラーセルと呼ぶ。ここで、大セルラーセルの伝送半径は、小セルラーセルの伝送半径より大きい。例えば、マクロセルラーセルとマイクロセルラーセルあるいはピコセルラーセルあるいはフェムトセルラーセルとの重なるカバレッジを有する無線セルラーネットワークにおいて、大セルラーセルとは、マクロセルラーセルを指し、小セルラーセルとは、マイクロセルラーセルあるいはピコセルラーセルあるいはフェムトセルラーセルを指す。マイクロセルラーセルとピコセルラーセルあるいはフェムトセルラーセルとの重なるカバレッジを有する無線セルラーネットワークにおいて、大セルラーセルとは、マイクロセルラーセルを指し、小セルラーセルとは、ピコセルラーセルあるいはフェムトセルラーセルを指す。ピコセルラーセルとフェムトセルラーセルとの重なるカバレッジを有する無線セルラーネットワークにおいて、大セルラーセルとは、ピコセルラーセルを指し、小セルラーセルとは、フェムトセルラーセルを指す。相応的に、大セルラーセルの基地局は大セルラー基地局と呼ばれ、例えば、マクロセルラー基地局である。小セルラーセルの基地局は小セルラー基地局と呼ばれ、例えば、３ＧＰＰ  ＬＴＥまたは３ＧＰＰ  ＬＴＥ―Ａネットワークにおいて、フェムトセルラーカバレッジをサポートする家庭基地局（ＨｅＮＢ：Ｈｏｍｅ  ｅＮｏｄｅＢ）であり、それはユーザにより便利的に家庭あるいは事務室に配置することができる。
【０００６】
２層以上の無線ネットワークが重なるカバレッジを有する領域内において、モバイルユーザのユーザ端末（ＵＥ：Ｕｓｅｒ  Ｅｑｕｉｐｍｅｎｔ）は、大セルラーネットワークあるいは小セルラーネットワークにアクセスすることを選択できる。例えば、３ＧＰＰ  ＬＴＥまたは３ＧＰＰ  ＬＴＥ―Ａネットワークにおいて、ｅＮＢはマクロセルラーカバレッジをサポートし、ＨｅＮＢはフェムトセルラーカバレッジをサポートする。ｅＮｏｄｅＢとＨｅＮＢとの重なるカバレッジにおいて、ＵＥは、ｅＮＢあるいはＨｅＮＢにアクセスすることを選択できる。本発明において、説明の便宜上、大セルラー基地局にアクセスするＵＥは大セルラーユーザ端末（ＭＵＥ）と総称され、小セルラー基地局にアクセルするＵＥは家庭ユーザ端末（ＨＵＥ：Ｈｏｍｅ  ＵＥ）と総称される。
【０００７】
上記２層以上の無線ネットワークカバレッジを有する通信環境下で、２層の無線ネットワークで使用されるスペクトル範囲は共有が存在可能であり、それに、２層の無線ネットワークで共有されるスペクトル範囲は全部または一部の使用可能なスペクトル範囲であってもよい。例えば、２層の無線ネットワークの使用可能な総スペクトル帯域幅は２０ＭＨｚであれば、２層の無線ネットワークで共有されるスペクトル範囲が全部の使用可能なスペクトル範囲である場合には、大セルラーネットワークおよび小セルラーネットワークはいずれもその２０ＭＨｚのスペクトルリソースを使用できる一方、２層の無線ネットワークで共有されるスペクトル範囲が一部の使用可能なスペクトル範囲である場合には、大セルラーネットワークはその中の一部のスペクトルリソース（例えば、１５ＭＨｚ）を使用できる一方、小セルラーネットワークは全部の２０ＭＨｚのスペクトルリソースを使用できる。
【発明の概要】
【発明が解決しようとする課題】
【０００８】
大セルラーネットワークおよび小セルラーネットワークで使用されるスペクトル範囲は共有である場合、２層の無線ネットワークの間に、同一チャネル干渉が存在する。このように、周波数分割複信（ＦＤＤ：Ｆｒｅｑｕｅｎｃｙ  Ｄｉｖｉｓｉｏｎ  Ｄｕｐｌｅｘ）システムにおいて、２層の無線ネットワークの間の干渉は、上りと下りとの４種類の干渉に分けられ、即ち、大セルラー基地局からＨＵＥに対する下り干渉、小セルラー基地局からＭＵＥに対する下り干渉、ＨＵＥから大セルラー基地局に対する上り干渉、およびＭＵＥから小セルラー基地局に対する上り干渉を含む。アクティブ状態にあるＭＵＥと大セルラー基地局とは通信を行っている時、ＭＵＥがある小セルラー基地局に比較的近い場合、該ＭＵＥで受ける該小セルラー基地局の下り干渉は比較的重く、ＭＵＥと大セルラー基地局との間の通信中断をもたらす恐れがある。また、アクティブ状態にあるＨＵＥと小セルラー基地局とは通信を行っている時、ＨＵＥがある大セルラー基地局に比較的近い場合、該ＨＵＥで受ける該大セルラー基地局の下り干渉は比較的重く、ＨＵＥと小セルラー基地局との間の通信中断をもたらす恐れがある。
【課題を解決するための手段】
【０００９】
上記の技術的課題を解決するために、本発明は、２層以上の無線ネットワークカバレッジを有する無線セルラーネットワークにおける干渉抑制方法およびその装置を提供し、第１セルラー基地局から周辺のアクティブ状態にある第２セルラーユーザに対する下り干渉を低減させ、第２セルラーユーザと第２セルラー基地局との通信品質を保証できる。
【００１０】
本発明の実施例に係る２層以上の無線ネットワークカバレッジを有する無線セルラーネットワークにおける干渉抑制方法であって、アクティブ状態にある第２セルラーユーザが周辺のある第１セルラー基地局の下り干渉を受ける場合、前記第１セルラー基地局に対して、その下り干渉を受ける第２セルラーユーザが現在存在していることを通知し、第１セルラー基地局が、自局との通信を行っている第１セルラーユーザで使用されるスペクトルリソースを再割り当てする、ことを含む。
【００１１】
前記第１セルラー基地局に対して、その下り干渉を受ける第２セルラーユーザが存在していることを通知することには、前記第２セルラーユーザが、それに対して下り干渉を生じる第１セルラー基地局が周辺に存在していることを検出した場合、前記第２セルラーユーザに対して下り干渉を生じる第１セルラー基地局の物理セルＩＤ（ＰＣＩ）が付けられている測定報告を、第２セルラー基地局へ送信し、第２セルラー基地局が、受信された第１セルラー基地局のＰＣＩが混同されるかどうかを判断し、該ＰＣＩが混同された場合、前記第１セルラー基地局のＥ−ＵＴＲＡＮセルグローバルＩＤ（ＥＣＧＩ）を読み取る旨のメッセージを第２セルラーユーザへ送信し、かつ、第２セルラーユーザから報告された第１セルラー基地局のＥＣＧＩを受信し、該ＰＣＩが混同されない場合、第２セルラーユーザから報告された第１セルラー基地局のＰＣＩにより、前記第１セルラー基地局のＥＣＧＩを得て、第２セルラー基地局が、前記第２セルラーユーザに対して下り干渉を生じる第１セルラー基地局のＥＣＧＩが付けられている第２セルラーユーザ到達メッセージを、モビリティマネージメントエンティティ（ＭＭＥ）に送信し、ＭＭＥが、受信された第２セルラーユーザ到達メッセージを、前記第２セルラーユーザに対して下り干渉を生じる第１セルラー基地局に転送する、ことを含む。
【００１２】
あるいは、前記第１セルラー基地局に対して、その下り干渉を受ける第２セルラーユーザが存在していることを通知することには、前記第２セルラーユーザが、それに対して下り干渉を生じる第１セルラー基地局が周辺に存在していることを検出した場合、予約されたリソースブロックの１つまたは複数のサブキャリアで信号を送信し、第１セルラー基地局が、予約されたリソースブロックのサブキャリアでエネルギー検出を行い、予約されたリソースブロックのサブキャリアで検出されたエネルギーが予め設定された閾値より大きい場合、前記第１セルラー基地局の下り干渉を受ける第２セルラーユーザが存在していると判断する、ことを含む。
【００１３】
ここで、前記第２セルラーユーザが、それに対して下り干渉を生じる第１セルラー基地局が周辺に存在していることを検出することには、第２セルラーユーザが、自局で受信した基地局の基準信号受信電力（ＲＳＲＰ）が予め設定された閾値を超えるかどうかを検出し、超えた場合、ＲＳＲＰが閾値を超えた基地局の物理セルＩＤ（ＰＣＩ）が特定の加入者グループのセルＩＤの範囲に属するかどうか、および、前記基地局が第２セルラーユーザのワイトリストにあるかどうか、をさらに判断し、ＲＳＲＰが閾値を超えた基地局の中に、ＰＣＩが特定の加入者グループのセルＩＤの範囲に属して、かつ第２セルラーユーザのワイトリストにない基地局が存在している場合、第２セルラーユーザが、それに対して下り干渉を生じる第１セルラー基地局が周辺に存在していると判断できる、ことを含む。
【００１４】
前記第１セルラー基地局が、自局との通信を行っている第１セルラーユーザで使用されるスペクトルリソースを再割り当てすることには、第１セルラー基地局との通信を行っていて、かつ元々共有スペクトルリソースを使用している第１セルラーユーザに、第２セルラー基地局と共有しないスペクトルリソースを再割り当てして、第２セルラー基地局と共有するスペクトルリソースを解放し、および／または、第１セルラー基地局との通信を行っている第１セルラーユーザの非リアルタイムサービスで使用されるスペクトルリソースを、部分的にまたは全部解放し、および／または、第１セルラーユーザのサービス品質（ＱｏＳ）またはユーザ体感品質（ＱｏＥ）を低減させないという前提で、第１セルラー基地局との通信を行っている第１セルラーユーザのリアルタイムサービスで使用されるスペクトルリソースを、部分的に解放し、および／または、第２セルラー基地局と第２セルラーユーザとの通信で使用されるクリティカルスペクトルリソースを解放する、ことを含む。
【００１５】
上記方法において、前記第２セルラーユーザが、アクティブ状態からアイドル状態に遷移する場合、または、第２セルラーユーザに対して干渉を生じる第１セルラー基地局の下り干渉が予め設定された閾値より小さくなることを検出した場合、第１セルラー基地局に対して、前記第２セルラーユーザが該第１セルラー基地局の下り干渉を受けなくなることを通知する、ことをさらに含む。
【００１６】
上記方法において、第１セルラー基地局は、前記第２セルラーユーザが該第１セルラー基地局の下り干渉を受けなくなることを知ると、自局との通信を行っている第１セルラーユーザで使用されるスペクトルリソースを再割り当てする、ことをさらに含む。
【００１７】
前記第１セルラー基地局に対して、前記第２セルラーユーザが該第１セルラー基地局の下り干渉を受けなくなることを通知することには、前記第２セルラーユーザが、前記第２セルラーユーザに対して下り干渉を生じる第１セルラー基地局のＰＣＩまたはＥＣＧＩが付けられている測定報告を、第２セルラー基地局に送信し、第２セルラー基地局が、前記第２セルラーユーザに対して下り干渉を生じる第１セルラー基地局のＥＣＧＩが付けられている第２セルラーユーザ出発メッセージを、ＭＭＥに送信し、ＭＭＥが第２セルラーユーザ出発メッセージを前記第１セルラー基地局に転送する、ことを含む。
【００１８】
前記第１セルラー基地局に対して、前記第２セルラーユーザが該第１セルラー基地局の下り干渉を受けなくなることを通知することは、前記第２セルラーユーザが、予約されたリソースブロックの１つまたは複数のサブキャリアでの信号送信を停止する、ことを含む。
【００１９】
前記第１セルラー基地局に対して、前記第２セルラーユーザが該第１セルラー基地局の下り干渉を受けなくなることを通知することには、前記第２セルラーユーザが、予約されたリソースブロックの第２サブキャリアで信号を送信し、第１セルラー基地局が、予約されたリソースブロックの第２サブキャリアでエネルギー検出を行い、第２サブキャリアのエネルギーが予め設定された閾値より大きいことが検出された場合、該第１セルラー基地局の下り干渉を受ける第２セルラーユーザが周辺に存在しないと判断する、ことを含む。
【００２０】
また、本発明の実施例では、２層以上の無線ネットワークカバレッジを有する無線セルラーネットワークにおけるほかの干渉抑制方法が提供されている。該方法は、アクティブ状態にある第２セルラーユーザが周辺のある第１セルラー基地局の下り干渉を受ける場合、第２セルラー基地局が、第１セルラー基地局で使用されていないスペクトルリソースを、第２セルラーユーザに再割り当てする、ことを含む。
【００２１】
第２セルラー基地局が、第１セルラー基地局で使用されていないスペクトルリソースを、第２セルラーユーザに再割り当てすることには、第２セルラー基地局が、自局の一部または全部のスペクトルリソースを解放して、第１セルラー基地局で使用されていないスペクトルリソースを、第２セルラーユーザに再割り当てする、ことを含む。
【００２２】
上記方法は、前記第２セルラーユーザが、アクティブ状態からアイドル状態に遷移する場合、または、第２セルラーユーザに対して干渉を生じる第１セルラー基地局の下り干渉が予め設定された閾値より小さくなることを検出した場合、第２セルラー基地局が、前記第２セルラーユーザで使用されるスペクトルリソースを再割り当てする、ことをさらに含む。
【００２３】
ここで、スペクトルリソースが、サブキャリア、リソースブロック、コンポーネントキャリア、またはキャリアバンドである。
【００２４】
本発明の実施例では、基地局が提供されている。該基地局は、自局の下り干渉を受ける第２セルラーユーザが存在していることを表す第２セルラーユーザ到達メッセージを、モビリティマネージメントエンティティ（ＭＭＥ）から受信する通知受信手段と、第２セルラーユーザ到達メッセージを受信した後、自局との通信を行っている第１セルラーユーザで使用されるスペクトルリソースを再割り当てするリソース割り当て手段と、を含む。
【００２５】
本発明の実施例では、ユーザ端末が提供されている。該ユーザ端末は、自局に対して下り干渉を生じる第１セルラー基地局が周辺に存在するかどうかを検出する干渉検出手段と、自局に対して下り干渉を生じる第１セルラー基地局が周辺に存在していることが検出された場合、自局に対して下り干渉を生じる第１セルラー基地局の物理セルＩＤ（ＰＣＩ）が付けられている測定報告を、第２セルラー基地局へ報告する干渉報告手段と、を含む。
【００２６】
上記ユーザ端末は、第２セルラー基地局からの、第１セルラー基地局のＥＣＧＩを読み取る旨のメッセージを受信した後、自局に対して下り干渉を生じる第１セルラー基地局のＥＣＧＩを決定して、決定されたＥＣＧＩを第２セルラー基地局に報告するＥ−ＵＴＲＡＮセルグローバルＩＤ（ＥＣＧＩ）報告手段、をさらに含む。
【００２７】
また、本発明の実施例では、ほかの基地局が提供されている。該基地局は、第２セルラーユーザからの、前記第２セルラーユーザに対して下り干渉を生じる第１セルラー基地局の物理セルＩＤ（ＰＣＩ）が含まれている測定報告を受信する測定報告受信手段と、
受信された第１セルラー基地局のＰＣＩが混同されるかどうかを判断し、該ＰＣＩが混同された場合、前記第１セルラー基地局のＥＣＧＩを読み取る旨のメッセージを第２セルラーユーザへ送信し、かつ、第２セルラーユーザからフィードバックされた第１セルラー基地局のＥＣＧＩを受信し、該ＰＣＩが混同されない場合、第２セルラーユーザから報告された第１セルラー基地局のＰＣＩにより、前記第１セルラー基地局のＥＣＧＩを得るＥ−ＵＴＲＡＮセルグローバルＩＤ（ＥＣＧＩ）読み取り手段と、前記第２セルラーユーザに対して下り干渉を生じる第１セルラー基地局のＥＣＧＩが少なくとも付けられている第２セルラーユーザ到達メッセージを、モビリティマネージメントエンティティ（ＭＭＥ）へ送信する通知手段と、を含む。
【００２８】
また、本発明の実施例では、ほかの基地局が提供されている。該基地局は、予約されたリソースブロックのサブキャリアでエネルギー検出を行い、検出されたエネルギーが予め設定された閾値より大きい場合、自局の下り干渉を受ける第２セルラーユーザが周辺に存在していると判断する信号検出手段と、自局の下り干渉を受ける第２セルラーユーザが周辺に存在していると判断した後、自局との通信を行っている第１セルラーユーザで使用されるスペクトルリソースを再割り当てすることで、自局から第２セルラーユーザに対する下り干渉を低減させるリソース割り当て手段と、を含む。
【００２９】
前記リソース割り当て手段は、自局との通信を行っていて、かつ元々共有スペクトルリソースを使用している第１セルラーユーザに、第２セルラー基地局と共有しないスペクトルリソースを割り当てることにより、第２セルラー基地局と共有するスペクトルリソースを解放する非共有リソース再割り当てモジュール、および／または、自局との通信を行っている第１セルラーユーザの非リアルタイムサービスで使用されるスペクトルリソースを、部分的にまたは全部解放する非リアルタイムサービスリソース解放モジュール、および／または、第１セルラーユーザのサービス品質（ＱｏＳ）またはユーザ体感品質（ＱｏＥ）を低減させないという前提で、自局との通信を行っている第１セルラーユーザのリアルタイムサービスで使用されるスペクトルリソースを、部分的に解放するリアルタイムサービスリソース解放モジュール、および／または、第２セルラー基地局と第２セルラーユーザとの通信で使用されるクリティカルスペクトルリソースを解放するクリティカルスペクトルリソース解放モジュール、を含む。
【００３０】
また、本発明の実施例では、ほかのユーザ端末が提供されている。該ユーザ端末は、
自局に対して下り干渉を生じる第１セルラー基地局が周辺に存在するかどうかを検出する干渉検出手段と、自局に対して下り干渉を生じる第１セルラー基地局が周辺に存在していることが検出された場合、予約されたリソースブロックの１つまたは複数のサブキャリアで信号を送信する干渉通知手段と、を含む。
【００３１】
前記干渉検出手段は、自局で受信した基地局の基準信号受信電力（ＲＳＲＰ）が予め設定された閾値を超えるかどうかを検出する基準信号受信電力検出モジュールと、ＲＳＲＰが予め設定された閾値を超えた基地局のＰＣＩが特定の加入者グループのセルＩＤの範囲に属するかどうか、および、前記基地局が自局のワイトリストにあるかどうかを判断し、前記基地局のＰＣＩが特定の加入者グループのセルＩＤの範囲に属して、かつ前記基地局が自局のワイトリストにない場合、自局に対して下り干渉を生じる第１セルラー基地局が周辺に存在していることが検出されたと決定する基地局ＩＤ判断モジュールと、を含む。
【００３２】
また、本発明の実施例では、ほかの基地局が提供されている。該基地局は、第２セルラーユーザからの、該第２セルラーユーザに対して下り干渉を生じる第１セルラー基地局の物理セルＩＤ（ＰＣＩ）が含まれている測定報告を受信する測定報告受信手段と、
第１セルラー基地局で使用されていないスペクトルリソースを第２セルラーユーザに再割り当てするリソース割り当て手段と、を含む。
【発明の効果】
【００３３】
本発明で提供された２層以上の無線ネットワークカバレッジを有する無線セルラーネットワークにおける干渉抑制方法およびその装置は、アクティブ状態にある第２セルラーユーザと第２セルラー基地局との通信が周辺の第１セルラー基地局の下り干渉を受ける場合、第１セルラー基地局に通知することにより、第１セルラー基地局がリソーススケジューリングによって、第１セルラーユーザで使用されるスペクトルリソースを調整し、第２セルラーユーザに対する下り干渉を低減させることができる。あるいは、第２セルラー基地局が、第２セルラーユーザに対してスペクトルリソースを再割り当てすることで、第１セルラー基地局の下り干渉を回避する。これにより、第１セルラー基地局による第２セルラーユーザと第２セルラー基地局との通信への影響を低減させる。
【図面の簡単な説明】
【００３４】
【図１】本発明の実施例に係る２層以上の無線ネットワークカバレッジを有する無線セルラーネットワークにおける干渉抑制方法のフローチャートである。
【図２】第１セルラー基地局に対して、その下り干渉を受ける第２セルラーユーザが現在存在していることを通知する第１方法のフローチャートである。
【図３】第１セルラー基地局に対して、その下り干渉を受ける第２セルラーユーザが現在存在していることを通知する第２方法のフローチャートである。
【図４】本発明の１つの実施例に係る第１セルラー基地局の内部構成を示す図である。
【図５】本発明の１つの実施例に係る第２セルラーユーザの内部構成を示す図である。
【図６】本発明の１つの実施例に係る第２セルラー基地局の内部構成を示す図である。
【図７】本発明のほかの実施例に係る第１セルラー基地局の内部構成を示す図である。
【図８】本発明のほかの実施例に係る第２セルラーユーザの内部構成を示す図である。
【図９】ＭＵＥの下りデータスループットと、ＭＵＥとマクロセルラー基地局との距離、およびフェムトセルラー基地局の位置との関係を示す。
【発明を実施するための形態】
【００３５】
本発明の目的、解決手段をさらに明確にするために、以下、図面を参照して実施例を挙げながら、本発明をさらに詳しく説明する。
【００３６】
説明の便宜上、本発明では、２層以上の無線ネットワークカバレッジを有する無線セルラーネットワークにおいて、第１層のネットワークカバレッジに関する基地局およびユーザ端末を、それぞれ第１セルラー基地局および第１セルラーユーザと呼び、同様に、第２層のネットワークカバレッジに関する基地局およびユーザ端末を、それぞれ第２セルラー基地局および第２セルラーユーザと呼ぶ。本発明では、第１セルラー基地局は大セルラー基地局であってもよい。この場合、第２セルラー基地局とは小セルラー基地局を指し、第１セルラーユーザおよび第２セルラーユーザはそれぞれＭＵＥおよびＨＵＥを指す。相応に、第１セルラー基地局は小セルラー基地局であってもよい。この場合、第２セルラー基地局とは大セルラー基地局を指し、第１セルラーユーザおよび第２セルラーユーザはそれぞれＨＵＥおよびＭＵＥを指す。
【００３７】
２層以上の無線ネットワークカバレッジを有する従来の無線セルラーネットワークにおいて、第１セルラー基地局は、その周辺にその下り干渉を受ける第２セルラーユーザがあるかどうかを知ることができないので、ほかのアイドルなスペクトルリソースを有しても、該第１セルラー基地局との通信を行っている第１セルラーユーザで使用されるスペクトルリソースを調整することにより、第２セルラーユーザで使用されるスペクトルリソースを解放することがない。また、第２セルラー基地局は、自局との通信を行っている第２セルラーユーザがその周辺の第１セルラー基地局の下り干渉を受けていることを知ることができないので、ほかのアイドルなスペクトルリソースを有しても、該第２セルラー基地局との通信を行っている第２セルラーユーザで使用されるスペクトルリソースを調整することにより、第１セルラー基地局の下り干渉を回避することがない。上記の問題を解決するために、即ち、２層以上の無線ネットワークカバレッジを有する無線セルラーネットワークにおいて、第１セルラー基地局から周辺のアクティブ状態にある第２セルラーユーザに対する下り干渉を低減させ、さらに、第２セルラーユーザと第２セルラー基地局との通信品質を保証するために、本発明の実施例では、２層以上の無線ネットワークカバレッジを有する無線セルラーネットワークにおける干渉抑制方法が提供されている。
【００３８】
（実施例１）
本実施例で提供された無線セルラーネットワークにおける干渉抑制方法の処理フローは、図１に示すように、主に、アクティブ状態にある第２セルラーユーザが周辺のある第１セルラー基地局の下り干渉を受ける場合、第１セルラー基地局に対して、その下り干渉を受ける第２セルラーユーザが存在していることを通知するステップ１０１と、第１セルラー基地局が、自局との通信を行っている第１セルラーユーザで使用されるスペクトルリソースを再割り当てすることで、該第１セルラー基地局から上記第２セルラーユーザに対する下り干渉を低減させるステップ１０２と、を含む。
【００３９】
説明すべきものとして、本発明の実施例では、上記スペクトルリソースは、サブキャリア（Ｓｕｂ−ｃａｒｒｉｅｒ）、リソースブロック（ＲＢ：Ｒｅｓｏｕｒｃｅ  Ｂｌｏｃｋ）、コンポーネントキャリア（ＣＣ：Ｃｏｍｐｏｎｅｎｔ  Ｃａｒｒｉｅｒ）、またはキャリアバンド（Ｂａｎｄ）であってもよい。
【００４０】
さらに、上記第２セルラーユーザがアクティブ状態からアイドル状態に遷移する場合、あるいは、第１セルラー基地局から上記第２セルラーユーザに対する下り干渉が予め設定された閾値より小さくなる場合、上記の方法は、第１セルラー基地局に対して、上記第２セルラーユーザが該第１セルラー基地局の下り干渉をもう受けないことを通知するステップ１０３と、第１セルラー基地局が、自局との通信を行っている第１セルラーユーザで使用されるスペクトルリソースを再割り当てするステップ１０４と、をさらに含むようにしてもよい。
【００４１】
上記ステップ１０１において、第２セルラーユーザ自身により、上記の検出過程を完成してもよいし、無線セルラーネットワークにおけるほかのエンティティ（例えば、ドライブテスト装置）により、上記の検出過程を完成してもよい。つまり、本発明の実施例において、周辺のある第１セルラー基地局の下り干渉を受けるアクティブ状態にある第２セルラーユーザがあるかどうかの検出を、どのエンティティにより完成するかが制限されない。ある第１セルラー基地局からある第２セルラーユーザに対する下り干渉が一定の閾値に達したことを検出した後、第１セルラー基地局に対して、その下り干渉を受ける第２セルラーユーザが存在していることを通知する。上記の通知過程を完成するために、本実施例では、第１セルラー基地局に通知するための２種類の方法が提供されている。以下、第２セルラーユーザ自身により検出を完成する場合を例として、本実施例で提供された２種類の方法について詳しく説明する。
【００４２】
方法１：
本方法１において、第２セルラーユーザは、その周辺のある第１セルラー基地局の下り干渉が一定の閾値に達したことを検出した後、自局との通信を行っている第２セルラー基地局、および、コアネットワークにあるモビリティマネージメントエンティティ（ＭＭＥ：Ｍｏｂｉｌｅ  Ｍａｎａｇｅｍｅｎｔ  Ｅｎｔｉｔｙ）により、第１セルラー基地局に対して、その下り干渉を受ける第２セルラーユーザが現在存在していることを通知する。
【００４３】
以下、さらに図２を参照して、第１セルラー基地局が小セルラー基地局であって、第２セルラーユーザがＭＵＥである場合を例として、上記方法１の実行過程について詳しく説明する。
【００４４】
図２は、上記の方法１を採用して、小セルラー基地局に対して、その下り干渉を受けるＭＵＥが現在存在していることを通知する場合のフローを示す。図２に示すように、該方法は、以下のステップを含む。
【００４５】
ステップ２０１で、アクティブ状態にあるＭＵＥは、それに対して下り干渉を生じる小セルラー基地局が周辺に存在するかどうかを検出し、該ＭＵＥに対して下り干渉を生じる小セルラー基地局が周辺に存在していることが検出された場合、ステップ２０２を実行する。
【００４６】
アクティブ状態にあるＭＵＥの受ける下り干渉が比較的大きい場合、該ＭＵＥと大セルラー基地局との下り通信の性能を低下させてしまう。例えば、パケット紛失率および伝送遅延を増大させるなどである。この場合、ＭＵＥは、それに対して下り干渉を生じる小セルラー基地局が周辺に存在するかどうかを検出する。
【００４７】
また、本ステップにおいて、ＭＵＥが、それに対して下り干渉を生じる小セルラー基地局が周辺に存在するかどうかを検出する方法は、具体的には、以下のステップを含む。
【００４８】
ステップ２０１１で、ＭＵＥは、自局で受信した基地局の基準信号受信電力（ＲＳＲＰ：Ｒｅｆｅｒｅｎｃｅ  Ｓｉｇｎａｌ  Ｒｅｃｅｉｖｅｄ  Ｐｏｗｅｒ）が予め設定された閾値を越えるかどうかを検出し、超えた場合、ステップ２０１２を実行する。
【００４９】
ステップ２０１２で、ＭＵＥは、ＲＳＲＰが閾値を超えた該基地局の物理セルＩＤ（ＰＣＩ：Ｐｈｙｓｉｃａｌ  Ｃｅｌｌ  ＩＤ）が特定の加入者グループ（ＣＳＧ：Ｃｌｏｓｅｄ  Ｓｕｂｓｃｒｉｂｅｒ  Ｇｒｏｕｐ）のセルＩＤの範囲（ｃｓｇ−ＰｈｙｓＣｅｌｌＩｄＲａｎｇｅ）に属するかどうか、および、該基地局がＭＵＥのワイトリストにあるかどうか、をさらに判断し、該基地局のＰＣＩが特定の加入者グループのセルＩＤの範囲に属して、かつ該基地局がＭＵＥのワイトリストにない場合、ＭＵＥは、それに対して下り干渉を生じる小セルラー基地局が周辺に存在していると判断できる。
【００５０】
上記ステップ２０１１において、ＭＵＥにより検出された、ＲＳＲＰが予め設定された閾値を超えた基地局は、小セルラー基地局を含むことも可能であるし、大セルラー基地局を含むことも可能である。従って、ＭＵＥは、検出された、ＲＳＲＰが予め設定された閾値を超えた基地局が小セルラー基地局であるかどうか、をさらに判断する必要がある。本実施例において、基地局のＰＣＩがＣＳＧのセルＩＤの範囲に属するかどうかを判断することにより、該基地局が小セルラー基地局であるかどうかを判断することができる。具体的には、ＭＵＥにより検出された、ＲＳＲＰが予め設定された閾値を超えた基地局のＰＣＩがＣＳＧのセルＩＤの範囲に属すると、検出された基地局は小セルラー基地局である。
【００５１】
また、ＭＵＥに比較的近い小セルラー基地局がＭＵＥのアクセスを許可する場合、ＭＵＥは該小セルラー基地局にアクセスすることを選択できる。この場合、該小セルラー基地局のＲＳＲＰは予め設定された閾値を超えても、該小セルラー基地局は該ＭＵＥに対して下り干渉を生じることがない。一般的に、ＭＵＥのアクセスを許可しない小セルラー基地局でしか、該ＭＵＥに対して下り干渉を生じることがない。従って、ＭＵＥに対して下り干渉を生じる小セルラー基地局を決定する過程において、ＲＳＲＰが予め設定された閾値を超えた小セルラー基地局はＭＵＥのアクセスを許可するかどうか、をさらに判断する必要がある。一般的に、ＭＵＥには、該ＭＵＥのアクセスを許可する小セルラー基地局を記録するためのワイトリストが格納されている。従って、本実施例において、ＲＳＲＰが予め設定された閾値を超えた小セルラー基地局が、ＭＵＥのワイトリストにあるかどうかを判断することにより、該小セルラー基地局が、該ＭＵＥのアクセスを許可するかどうかを判断することができる。具体的には、該小セルラー基地局が該ＭＵＥのワイトリストにない場合、該小セルラー基地局が該ＭＵＥのアクセスを許可せず、さらに、該小セルラー基地局が該ＭＵＥに対して下り干渉を生じると決定することができる。
【００５２】
上記ステップ２０１１において、ＭＵＥは、複数の基地局のＲＳＲＰが予め設定された閾値を超えたことを検出した場合、まず、その中にＲＳＲＰが最大となる基地局に対して、ステップ２０１２の判断を行い、ステップ２０１２の条件が満たされた場合、該基地局を、該ＭＵＥに対して下り干渉を生じる小セルラー基地局とする。逆に、ステップ２０１２の条件が満たされない場合、検出されたＲＳＲＰが予め設定された閾値を超えた複数の基地局の中から、ＲＳＲＰが次に最大となる基地局を選択して、それに対してステップ２０１２の判断を行う。ステップ２０１２の条件を満たした小セルラー基地局を検索し、かつ、検索された小セルラー基地局を、該ＭＵＥに対して下り干渉を生じる小セルラー基地局とするまで、このように類推する。つまり、ＲＳＲＰが閾値を超えた基地局の中に、ＰＣＩが特定の加入者グループのセルＩＤの範囲に属して、かつＭＵＥのワイトリストにない基地局が存在している場合、ＭＵＥは、それに対して下り干渉を生じる小セルラー基地局が周辺に存在していると判断することができ、かつ、その中にＲＳＲＰが最大となる基地局を、該ＭＵＥに対して下り干渉を生じる小セルラー基地局とすることができる。
【００５３】
ステップ２０２で、ＭＵＥは、該ＭＵＥに対して下り干渉を生じる小セルラー基地局のＰＣＩが付けられている測定報告を、大セルラー基地局へ送信する。
【００５４】
ステップ２０３で、大セルラー基地局は、受信された小セルラー基地局のＰＣＩが混同されるかどうかを判断し、該ＰＣＩが混同された場合、ステップ２０４を実行し、該ＰＣＩが混同されない場合、ＭＵＥから報告された小セルラー基地局のＰＣＩにより、該小セルラー基地局のＥ−ＵＴＲＡＮ（進化型ＵＭＴＳ地上無線アクセスネットワーク）セルグローバルＩＤ（ＥＣＧＩ：Ｅ−ＵＴＲＡＮ  Ｃｅｌｌ  Ｇｌｏｂａｌ  Ｉｄｅｎｔｉｆｉｅｒ）を得て、それから、ステップ２０６を実行する。ここで、各小セルラー基地局のＥＣＧＩは、一意的に該小セルラー基地局を識別できる。
【００５５】
ステップ２０４で、大セルラー基地局は、該小セルラー基地局のＥＣＧＩを読み取る旨のメッセージをＭＵＥへ送信する。
【００５６】
ステップ２０５で、ＭＵＥは、小セルラー基地局のＥＣＧＩを読み取る旨のメッセージを受信した後、小セルラー基地局のＰＣＩにより、該小セルラー基地局のＥＣＧＩを決定して、決定された小セルラー基地局のＥＣＧＩを大セルラー基地局に報告する。
【００５７】
ステップ２０６で、大セルラー基地局はＭＵＥ到達（ＭＵＥ  ＡＲＲＩＶＡＬ）メッセージをＭＭＥに送信する。上記ＭＵＥ  ＡＲＲＩＶＡＬメッセージには、少なくとも、該ＭＵＥに対して下り干渉を生じる小セルラー基地局のＥＣＧＩが付けられている。
【００５８】
また、上記ＭＵＥ  ＡＲＲＩＶＡＬメッセージには、該ＭＵＥで使用されるリソースブロック（ＲＢ：Ｒｅｓｏｕｒｃｅ  Ｂｌｏｃｋ）の情報がさらに付けられているようにしてもよい。
【００５９】
本ステップにおいて、大セルラー基地局は、自局のＳ１インタフェースを介して、ＭＵＥ  ＡＲＲＩＶＡＬメッセージをＭＭＥに送信するようにしてもよい。
【００６０】
ステップ２０７で、ＭＭＥは、受信されたＭＵＥ  ＡＲＲＩＶＡＬメッセージを、該メッセージにおけるＥＣＧＩに対応する小セルラー基地局、即ち、ＭＵＥに対して下り干渉を生じる小セルラー基地局に転送して、該小セルラー基地局に対して、その下り干渉を受けるＭＵＥが存在していることを通知する。
【００６１】
この場合、ＭＵＥ  ＡＲＲＩＶＡＬメッセージを受信した小セルラー基地局は、自局が既にあるＭＵＥに対して下り干渉を生じたことを知る。次に、ステップ１０２におけるスペクトルリソースの再割り当てを行うことができる。
【００６２】
方法２：
本方法において、第２セルラーユーザは、その周辺のある第１セルラー基地局の下り干渉が一定の閾値に達したことを検出した後、該第１セルラー基地局に直接的に通知することで、自局が該第１セルラー基地局の下り干渉を受けていることを表す。上記方法を実現するために、上りスペクトルリソースにおいて、１つのリソースブロックＲＢを予約する必要があり、第２セルラーユーザは、該予約されたＲＢを利用することで、第１セルラー基地局に対して、自局が該第１セルラー基地局の下り干渉を受けていることを通知する。第１セルラー基地局、第２セルラー基地局および第２セルラーユーザは、予約されたリソースブロックの位置に基づいて、相応するリソース予約を行う。例えば、正常の通信過程において、第２セルラーユーザは、上りデータ伝送に該リソースブロックを使用しない。
【００６３】
以下、さらに図３を参照して、第１セルラー基地局が小セルラー基地局であって、第２セルラーユーザがＭＵＥである場合を例として、上記方法２の実行過程について詳しく説明する。
【００６４】
図３は、上記方法２を採用して、小セルラー基地局に対して、その下り干渉を受けるＭＵＥが現在存在していることを通知する場合のフローを示す。図３に示すように、該方法は、主に以下のステップを含む。
【００６５】
ステップ３０１で、アクティブ状態にあるＭＵＥは、それに対して下り干渉を生じる小セルラー基地局が周辺に存在するかどうかを検出し、該ＭＵＥに対して下り干渉を生じる小セルラー基地局が周辺に存在していることが検出された場合、ステップ３０２を実行する。
【００６６】
上記ステップ３０１において、ＭＵＥは、ステップ２０１１および２０１２に示した方法を採用して、それに対して下り干渉を生じる小セルラー基地局が周辺に存在するかどうかを検出してよい。
【００６７】
ステップ３０２で、ＭＵＥは、予約されたリソースブロックの１つまたは複数のサブキャリアで信号を送信する。
【００６８】
ステップ３０３で、小セルラー基地局は、予約されたリソースブロックのサブキャリアでエネルギー検出を行い、予約されたリソースブロックのサブキャリアで検出されたエネルギーが予め設定された閾値より大きい場合、該小セルラー基地局の下り干渉を受けるＭＵＥが存在していると判断する。
【００６９】
説明すべきものとして、図２および図３に示す２種類の方法はいずれも、第１セルラー基地局が小セルラー基地局であって、第２セルラーユーザがＭＵＥであり、かつ、ＭＵＥ自身により小セルラー基地局の下り干渉を検出する場合を例として説明したものである。上記のように、無線セルラーネットワークにおけるほかのエンティティにより、第１セルラー基地局の下り干渉を受ける第２セルラーユーザが存在するかどうかを検出してもよい。また、第１セルラー基地局は大セルラー基地局であってもよく、第２セルラーユーザはＨＵＥであってもよい。
【００７０】
この場合、第１セルラー基地局は、自局が既にある第２セルラーユーザに対して下り干渉を生じたことを知っている。次に、ステップ１０２におけるスペクトルリソースの再割り当てを行うことができる。
【００７１】
同様、上記２種類の方法に対して、ステップ１０３における第１セルラー基地局に対して、該第２セルラーユーザが該第１セルラー基地局の下り干渉を受けなくなることを通知する方法も２種類があってもよい。
【００７２】
方法１：
第２セルラーユーザがアクティブ状態からアイドル状態に遷移する場合、あるいは、第２セルラーユーザに対して下り干渉を生じる第１セルラー基地局のＲＳＲＰが予め設定された閾値より小さいことを検出した場合、第２セルラーユーザは測定報告を第２セルラー基地局に送信する。該測定報告には、その前に該第２セルラーユーザに対して下り干渉を生じる第１セルラー基地局のＰＣＩまたはＥＣＧＩが付けられている。具体的には、同様に、小セルラー基地局を第１セルラー基地局とする場合を例として、ステップ１０１の実行過程において、ＭＵＥは、大セルラー基地局からの、小セルラー基地局のＥＣＧＩを読み取る旨のメッセージを受信したことがある場合、本ステップで送信される測定報告には、小セルラー基地局のＥＣＧＩが付けられ、上記のメッセージを受信したことがない場合、小セルラー基地局のＰＣＩが付けられるようにしてもよい。
【００７３】
第２セルラー基地局は、第２セルラーユーザから報告された測定報告を受信した後、第２セルラーユーザ出発メッセージをＭＭＥに送信する。該第２セルラーユーザ出発メッセージにも、その前に第２セルラーユーザに対して下り干渉を生じる第１セルラー基地局のＥＣＧＩが付けられる。本ステップにおいて、第２セルラー基地局は、自局のＳ１インタフェースを介して、第２セルラーユーザ出発メッセージをＭＭＥに送信するようにしてもよい。
【００７４】
ＭＭＥは、第２セルラーユーザ出発メッセージを、該メッセージにおけるＥＣＧＩに対応する第１セルラー基地局に転送し、該第１セルラー基地局に対して、該第２セルラーユーザが該第１セルラー基地局の下り干渉を受けなくなることを通知する。
【００７５】
その後、第１セルラー基地局は、自局との通信を行っている第１セルラーユーザで使用されるスペクトルリソースを再割り当てすることができ、即ち、該第１セルラー基地局の下り干渉を受ける第２セルラーユーザが周辺に存在しない状況に基づいて、無線リソース管理をすることができる。
【００７６】
方法２：
第２セルラーユーザがアクティブ状態からアイドル状態に遷移する場合、あるいは、第２セルラーユーザに対して下り干渉を生じる第１セルラー基地局のＲＳＲＰが予め設定された閾値より小さいことを検出した場合、第２セルラーユーザは、予約されたリソースブロックの１つまたは複数のサブキャリアでの信号送信を停止してよい。この時、第１セルラー基地局により、予約されたリソースブロックのサブキャリアで検出されたエネルギーが予め設定された閾値より小さい場合、第１セルラー基地局は、該第２セルラーユーザが自局の下り干渉を受けなくなることを知ることができる。
【００７７】
また、上記ステップ３０２において、第２セルラーユーザは、予約されたリソースブロックにおけるいずれか１つまたは複数のサブキャリアを選択して、信号を送信することで、自局がある第１セルラー基地局の下り干渉を既に受けたことを表すと、第２セルラーユーザがアクティブ状態からアイドル状態に遷移する場合、あるいは、第２セルラーユーザに対して下り干渉を生じる第１セルラー基地局のＲＳＲＰが予め設定された閾値より小さいことを検出した場合、第２セルラーユーザは、予約されたリソースブロックのほかの１つまたは複数のサブキャリアを選択して、信号を送信することで、自局が第１セルラー基地局の下り干渉を受けなくなることを表すようにしてもよい。
【００７８】
上記第２セルラーユーザは予約されたリソースブロックの１つまたは複数のサブキャリアを使用し、第１セルラー基地局に対して、自局が該第１セルラー基地局の下り干渉を受けていることを通知する場合と区別するために、本発明の実施例において、予約されたリソースブロックのサブキャリアを２つのグループに分けてもよい。各グループのサブキャリアには、少なくとも１つのサブキャリアが含まれている。ここで、第１グループのサブキャリアは、第１サブキャリアと呼ばれてもよく、第１セルラー基地局に対して、第２セルラーユーザが該第１セルラー基地局の下り干渉を受けていることを通知することに用いられる。第２グループのサブキャリアは、第２サブキャリアと呼ばれてもよく、第１セルラー基地局に対して、第２セルラーユーザが該第１セルラー基地局の下り干渉を受けなくなることを通知することに用いられる。
【００７９】
この場合で、第１セルラー基地局は、予約されたリソースブロックのサブキャリアでエネルギー検出を行うことができる。第１サブキャリアのエネルギーが予め設定された閾値より大きいことが検出された場合、第１セルラー基地局は、その下り干渉を受ける第２セルラーユーザが周辺に存在していると判断する。第２サブキャリアのエネルギーが予め設定された閾値より大きいことが検出された場合、第１セルラー基地局は、その下り干渉を受ける第２セルラーユーザが周辺に存在しないと判断する。
【００８０】
以下、上記ステップ１０２における第１セルラー基地局が、自局との通信を行っている第１セルラーユーザで使用されるスペクトルリソースを再割り当てする方法について、詳しく説明する。本発明の実施例において、第１セルラー基地局は、下記の４種類の方法により、自局との通信を行っている第１セルラーユーザで使用されるスペクトルリソースを再割り当てしてよい。
【００８１】
第１方法は、第１セルラー基地局および第２セルラー基地局でスペクトルリソースを部分的に共有する場合、即ち、２層の無線ネットワークで共有されるスペクトル範囲が一部の使用可能なスペクトル範囲であり、使用可能なスペクトル範囲が共有スペクトルリソースおよび非共有スペクトルリソースを含む場合に適用する。この場合、第１セルラー基地局は、自局との通信を行っていて、かつ元々共有スペクトルリソースを使用している第１セルラーユーザに、非共有スペクトルリソースを再割り当てすることができる。これにより、共有スペクトルリソースが解放され、第２セルラーユーザと第２セルラー基地局との通信用に提供される。
【００８２】
第２方法では、第１セルラー基地局が、自局との通信を行っている第１セルラーユーザの非リアルタイムサービスで使用されるスペクトルリソースを、部分的にまたは全部解放する。
【００８３】
第３方法では、第１セルラーユーザのサービス品質（ＱｏＳ：Ｑｕａｌｉｔｙ  ｏｆ  Ｓｅｒｖｉｃｅ）またはユーザ体感品質（ＱｏＥ：Ｑｕａｌｉｔｙ  ｏｆ  Ｅｘｐｅｒｉｅｎｃｅ）を低減させないという前提で、第１セルラー基地局が、自局との通信を行っている第１セルラーユーザのリアルタイムサービスで使用されるスペクトルリソースを、部分的に解放する。
【００８４】
第４方法では、第２セルラー基地局と第２セルラーユーザとの通信で使用されるクリティカルスペクトルリソース、例えば、第２セルラー基地局と第２セルラーユーザとの間の制御チャネルで使用されるスペクトルリソースや、第２セルラー基地局と第２セルラーユーザとの間のリアルタイムサービスで使用されるスペクトルリソースなどを解放する。第１セルラー基地局が、第２セルラー基地局と第２セルラーユーザとの通信で使用されるクリティカルスペクトルリソースを知る方法は、下記の１）と２）とを含んでもよい。１）第１セルラー基地局および第２セルラー基地局のクリティカルスペクトルリソースを予め設定する。例えば、ＰＤＣＣＨなどの制御チャネルのリソース位置は、標準規格で定義されている。このように、第１セルラー基地局および第２セルラー基地局は、自分のクリティカルスペクトルリソースを、予め決定して相手に通知し、または、システム管理者により直接設定することが可能になる。２）第１セルラー基地局と第２セルラー基地局との間で、Ｘ２やＳ１などの基地局間インターフェースを介して、自分のクリティカルスペクトルリソースを定期的に交換する。例えば、プライマリコンポーネントキャリア（ＰＣＣ）などの情報は、ネットワークの具体的な干渉環境に応じて変化することが可能である。この場合、第１セルラー基地局と第２セルラー基地局とは、ＰＣＣの位置設定情報を相互に交換してもよい。これにより、相手のクリティカルスペクトルリソースの設定状況を得る。
【００８５】
上記４種類の方法について、第１セルラー基地局は、その中の任意の１種類、任意の２種類、任意の３種類、または全部の４種類の方法を実行することにより、自局との通信を行っている第１セルラーユーザで使用されるスペクトルリソースを再割り当てしてよい。
【００８６】
また、上記方法１を採用して、第１セルラー基地局に対して、その下り干渉を受ける第２セルラーユーザが現在存在していることを通知し、かつ、第１セルラー基地局で受信した第２セルラーユーザ到達メッセージには、第２セルラーユーザで使用されるＲＢの情報が付けられている場合、第１セルラー基地局は、上記任意の１種類、任意の２種類、任意の３種類、または全部の４種類の方法を採用して、第２セルラーユーザで使用されるＲＢをできるだけ解放してよい。これにより、第２セルラーユーザに対する下り干渉を低減させる。
【００８７】
（実施例２）
第１セルラー基地局により、自局との通信を行っている第１セルラーユーザで使用されるスペクトルリソースを再割り当てすることで、第１セルラー基地局から第２セルラーユーザに対する下り干渉を除去する以外に、第２セルラー基地局により、スペクトルリソースを再スケジューリングすることで、第１セルラー基地局から第２セルラーユーザに対する下り干渉を回避するようにしてもよい。
【００８８】
具体的には、本実施例に係る無線セルラーネットワークにおける干渉抑制方法は、アクティブ状態にある第２セルラーユーザが周辺のある第１セルラー基地局の下り干渉を受ける場合、第２セルラー基地局が、上記第２セルラーユーザで使用されるスペクトルリソースを再割り当てし、即ち、第１セルラー基地局で使用されていないスペクトルリソースを第２セルラーユーザに再割り当てする、ことを含む。
【００８９】
説明すべきものとして、本実施例では、上記スペクトルリソースは、Ｓｕｂ−ｃａｒｒｉｅｒ、ＲＢ、ＣＣ、またはＢａｎｄであってもよい。また、本発明の実施例においても、周辺のある第１セルラー基地局の下り干渉を受けるアクティブ状態にある第２セルラーユーザがあるかどうかを検出するエンティティが制限されない。即ち、第２セルラーユーザ自身により、上記検出を完成してもよいし、無線セルラーネットワークにおけるほかのエンティティ（例えば、ドライブテスト装置）により、上記検出を完成してもよい。
【００９０】
第１セルラー基地局で使用されていないスペクトルリソースを第２セルラーユーザに再割り当てするために、本実施例に係る方法は、第２セルラー基地局が、まず、自分の一部または全部のスペクトルリソースを解放し、次に、第１セルラー基地局の干渉を受ける第２セルラーユーザにスペクトルリソースを再割り当てする、ことをさらに含むことが必要になる可能性がある。具体的には、第２セルラー基地局は、スペクトルリソースの解放時に、第２セルラーユーザのＱｏＳおよび／またはＱｏＥを考慮して、ＱｏＳまたはＱｏＥ要求が高くないサービスに対して先に解放してもよく、あるいは、自分のノンクリティカルリソースを先に解放してもよい。
【００９１】
さらに、上記第２セルラーユーザがアクティブ状態からアイドル状態に遷移する場合、あるいは、第１セルラー基地局から上記第２セルラーユーザに対する下り干渉が予め設定された閾値より小さくなる場合、上記の方法は、第２セルラー基地局が、上記第２セルラーユーザで使用されるスペクトルリソースを再割り当てする、ことをさらに含んでもよい。即ち、第２セルラー基地局は、自局との通信を行っている第２セルラーユーザが第１セルラー基地局の下り干渉を受けない状況に基づいて、無線リソース管理をすることができる。
【００９２】
上記干渉抑制方法を除いて、本発明の実施例において、また上記干渉抑制方法を実現する装置が提供されている。以下、図面を参照して、本発明の実施例に係る上記干渉抑制方法を実現する装置について、詳しく説明する。
【００９３】
具体的には、本発明の１つの実施例において、上記実施例１に対応して、上記方法１を採用して、第１セルラー基地局に対して、その下り干渉を受ける第２セルラーユーザが現在存在していることを通知する場合の第１セルラー基地局、第２セルラー基地局および第２セルラーユーザが提供されている。
【００９４】
図４に示すように、本実施例で提供された第１セルラー基地局の内部構成は、該第１セルラー基地局の下り干渉を受けている第２セルラーユーザが存在することを表す第２セルラーユーザ到達メッセージを、ＭＭＥから受信する通知受信手段４０１と、第２セルラーユーザ到達メッセージを受信した後、該第１セルラー基地局との通信を行っている第１セルラーユーザで使用されるスペクトルリソースを再割り当てすることで、該第１セルラー基地局から第２セルラーユーザに対する下り干渉を低減させるリソース割り当て手段４０２と、を含む。ここで、上記リソース割り当て手段４０２は、上記ステップ１０２における４種類の方法を採用して、自局との通信を行っている第１セルラーユーザで使用されるスペクトルリソースを再割り当てしてよく、具体的には、第１セルラー基地局との通信を行っていて、かつ元々共有スペクトルリソースを使用している第１セルラーユーザに、非共有スペクトルリソースを割り当て、共有スペクトルリソースを解放する非共有リソース再割り当てモジュール４０２１、および／または、第１セルラー基地局との通信を行っている第１セルラーユーザの非リアルタイムサービスで使用されるスペクトルリソースを、部分的にまたは全部解放する非リアルタイムサービスリソース解放モジュール４０２２、および／または、第１セルラーユーザのＱｏＳまたはＱｏＥを低減させないという前提で、第１セルラー基地局との通信を行っている第１セルラーユーザのリアルタイムサービスで使用されるスペクトルリソースを、部分的に解放するリアルタイムサービスリソース解放モジュール４０２３、および／または、
第２セルラー基地局と第２セルラーユーザとの通信で使用されるクリティカルスペクトルリソースを解放するクリティカルスペクトルリソース解放モジュール４０２４、を含むようにしてもよい。
【００９５】
図５に示すように、本実施例で提供された第２セルラーユーザの内部構成は、自局に対して下り干渉を生じる第１セルラー基地局が周辺に存在するかどうかを検出する干渉検出手段５０１と、自局に対して下り干渉を生じる第１セルラー基地局が周辺に存在していることが検出された場合、自局に対して下り干渉を生じる第１セルラー基地局のＰＣＩが付けられている測定報告を、第２セルラー基地局へ報告する干渉報告手段５０２と、を含む。
【００９６】
ここで、上記干渉検出手段５０１は、自局で受信した基地局のＲＳＲＰが予め設定された閾値を超えるかどうかを検出する基準信号受信電力検出モジュール５０１１と、ＲＳＲＰが予め設定された閾値を超えた基地局のＰＣＩが特定の加入者グループのセルＩＤの範囲に属するかどうか、および、該基地局が第２セルラーユーザのワイトリストにあるかどうかを判断し、該基地局のＰＣＩが特定の加入者グループのセルＩＤの範囲に属して、かつ該基地局が第２セルラーユーザのワイトリストにない場合、該第２セルラーユーザに対して下り干渉を生じる第１セルラー基地局が周辺に存在していることが検出されたと決定する基地局ＩＤ判断モジュール５０１２と、を含む。
【００９７】
本発明の実施例に係る第２セルラーユーザは、第２セルラー基地局からの、第１セルラー基地局のＥＣＧＩを読み取る旨のメッセージを受信した後、自局に対して下り干渉を生じる第１セルラー基地局のＥＣＧＩを決定して、決定されたＥＣＧＩを第２セルラー基地局に報告するＥＣＧＩ報告手段５０３、をさらに含んでもよい。
【００９８】
図６に示すように、本実施例に係る第２セルラー基地局の内部構成は、
第２セルラーユーザからの、該第２セルラーユーザに対して下り干渉を生じる第１セルラー基地局のＰＣＩが含まれている測定報告を受信する測定報告受信手段６０１と、受信された第１セルラー基地局のＰＣＩが混同されるかどうかを判断し、該ＰＣＩが混同された場合、該第１セルラー基地局のＥＣＧＩを読み取る旨のメッセージを第２セルラーユーザへ送信し、かつ、第２セルラーユーザからフィードバックされた第１セルラー基地局のＥＣＧＩを受信し、該ＰＣＩが混同されない場合、第２セルラーユーザから報告された第１セルラー基地局のＰＣＩにより、該第１セルラー基地局のＥＣＧＩを得るＥＣＧＩ読み取り手段６０２と、該第２セルラーユーザに対して下り干渉を生じる第１セルラー基地局のＥＣＧＩが少なくとも付けられている第２セルラーユーザ到達メッセージを、ＭＭＥへ送信する通知手段６０３と、を含む。
【００９９】
また、本発明のほかの実施例において、実施例１に対応して、上記方法２を採用して、第１セルラー基地局に対して、その下り干渉を受ける第２セルラーユーザが現在存在していることを通知する場合の第１セルラー基地局および第２セルラーユーザが提供されている。
【０１００】
図７に示すように、本実施例で提供された第１セルラー基地局の内部構成は、予約されたリソースブロックのサブキャリアでエネルギー検出を行い、検出されたエネルギーが予め設定された閾値より大きい場合、該第１セルラー基地局の下り干渉を受ける第２セルラーユーザが周辺に存在していると判断する信号検出手段７０１と、該第１セルラー基地局の下り干渉を受ける第２セルラーユーザが周辺に存在していると判断した後、該第１セルラー基地局との通信を行っている第１セルラーユーザで使用されるスペクトルリソースを再割り当てすることで、該第１セルラー基地局から第２セルラーユーザに対する下り干渉を低減させるリソース割り当て手段４０２と、を含む。
【０１０１】
ここで、上記リソース割り当て手段４０２は、図４におけるリソース割り当て手段４０２と同じであり、同様に、上記非共有リソース再割り当てモジュール４０２１、および／または非リアルタイムサービスリソース解放モジュール４０２２、および／またはリアルタイムサービスリソース解放モジュール４０２３、および／またはクリティカルスペクトルリソース解放モジュール４０２４を含む。
【０１０２】
図８に示すように、本実施例で提供された第２セルラーユーザの内部構成は、該第２セルラーユーザに対して下り干渉を生じる第１セルラー基地局が周辺に存在するかどうかを検出する干渉検出手段５０１と、該第２セルラーユーザに対して下り干渉を生じる第１セルラー基地局が周辺に存在していることが検出された場合、予約されたリソースブロックの１つまたは複数のサブキャリアで信号を送信する干渉通知手段８０２と、を含む。
【０１０３】
ここで、上記干渉検出手段５０１は、図５に示した干渉検出手段５０１と同じであり、即ち、同様に、上記基準信号受信電力検出モジュール５０１１および基地局ＩＤ判断モジュール５０１２を含む。
【０１０４】
また、本発明のほかの実施例において、実施例２に対応する第２セルラー基地局が提供されている。該第２セルラー基地局は、第２セルラーユーザからの、該第２セルラーユーザに対して下り干渉を生じる第１セルラー基地局のＰＣＩが含まれている測定報告を受信する測定報告受信手段６０１と、第１セルラー基地局で使用されていないスペクトルリソースを第２セルラーユーザに再割り当てするリソース割り当て手段と、を含む。
【０１０５】
本発明の実施例に係る干渉抑制方法、基地局、およびユーザ端末を使用することにより、アクティブ状態にある第２セルラーユーザと第２セルラー基地局との通信が周辺の第１セルラー基地局の下り干渉を受ける場合、第１セルラー基地局に通知することで、第１セルラー基地局は、リソーススケジューリングによって、第１セルラーユーザで使用されるスペクトルリソースを調整して、第２セルラーユーザに対する下り干渉を低減させることができる。これにより、第２セルラーユーザと第２セルラー基地局との通信に対する影響を低減させる。あるいは、アクティブ状態にある第２セルラーユーザと第２セルラー基地局との通信が周辺の第１セルラー基地局の下り干渉を受ける場合、第２セルラー基地局は、リソーススケジューリングによって、第２セルラーユーザで使用されるスペクトルリソースを調整して、第１セルラー基地局の下り干渉を回避する。これにより、第２セルラーユーザと第２セルラー基地局との通信に対する影響を低減させる。
【０１０６】
以下、３ＧＰＰ  ＬＴＥネットワークを用いて、シミュレーションモデルを提供する。表１に示すように、本発明の実施例に係る干渉抑制方法に対して定量的にシミュレーションを行う。
【表１】
2010288282.tif 000003
【０１０７】
本例において、２層の無線セルラーネットワークは、マクロセルラーとフェムトセルラーにより構成される。マクロセルラーのセル間の距離（Ｉｎｔｅｒ−Ｓｉｔｅ−Ｄｉｓｔａｎｃｅ）は５００メートル（ｍ）であり、フェムトセルラー毎の伝送半径は１０ｍである。各マクロセルラー基地局毎に３つのセクターがあり、各セクター毎に１０個のユーザが均等に分散される。各フェムトセルラー基地局毎に１つのセクターがあり、各フェムトセルラーセル毎に４個のユーザが均等に分散される。
【０１０８】
３ＧＰＰ  ＬＴＥネットワークにおいて、直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）技術を採用し、各サブキャリア帯域幅は１５ＫＨｚ（千ヘルツ）であり、各リソースブロック（ＲＢ：Ｒｅｓｏｕｒｃｅ  Ｂｌｏｃｋ）は１２個のサブキャリアにより構成される。スペクトル共用モードで、使用可能な総スペクトル帯域幅は２０ＭＨｚであり、ここで、マクロセルラーの使用可能なスペクトル帯域幅は２０ＭＨｚであり、フェムトセルラーの使用可能なスペクトル帯域幅は２０ＭＨｚである。ユーザのリソーススケジューリング方法について、ラウンドロビン（Ｒｏｕｎｄ  Ｒｏｂｉｎ）方式が採用される。ＭＵＥに平均的に割り当てされたリソースブロックは１０個である。マクロセルラー基地局の送信電力は４９ｄＢｍであり、フェムトセルラー基地局の最大送信電力は２０ｄＢｍであると仮定される。基地局の総送信電力の１０％はパイロット信号の送信電力とされる。送信アンテナと受信アンテナの数は、それぞれ１つと２つである。統計されたデータスループットは、３０％のシグナリングオーバーヘッドを除去したデータスループットである。
【０１０９】
図９は、ＭＵＥの下りデータスループットと、ＭＵＥとマクロセルラー基地局ｅＮＢとの距離、およびフェムトセルラー基地局ＨｅＮＢの位置との関係を示す。図９において、横軸は、ＭＵＥとマクロセルラー基地局との距離を示し、縦軸は、ＭＵＥの下りデータスループットを示す。図９から分かるように、ＭＵＥとｅＮＢとの距離に問わず、ＭＵＥがＨｅＮＢに比較的近いところ（１０ｍより小さい室内）に移動する場合、ＨｅＮＢの下り干渉を受けるので、ＭＵＥの下りスループットを０Ｍｂｐｓに近づくように低減させる。このように、ＭＵＥとｅＮＢとの行っている通信が中断されてしまう。
【０１１０】
一方、図９における一番上の曲線は、本発明の実施例で提供された干渉抑制方法を採用した後、ＭＵＥの下りデータスループットと、ＭＵＥとマクロセルラー基地局ｅＮＢとの距離、およびフェムトセルラー基地局ＨｅＮＢの位置との関係を示す。該曲線から分かるように、ＨｅＮＢは、ＨＵＥのリソースを再調整することにより、ＭＵＥで使用されるリソースブロックを回避できる。このように、ＭＵＥの受ける干渉を大幅に低減させ、ＭＵＥの下りデータスループットを向上させる。今回のシミュレーション過程において、ＨｅＮＢは、ＨＵＥのリソースを調整することにより、ＭＵＥに割り当てされた全ての１０個のリソースブロックを回避できると仮定される。
【０１１１】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【図１】
2010288282.tif 000004
【図２】
2010288282.tif 000005
【図３】
2010288282.tif 000006
【図４】
2010288282.tif 000007
【図５】
2010288282.tif 000008
【図６】
2010288282.tif 000009
【図７】
2010288282.tif 000010
【図８】
2010288282.tif 000011
【図９】
2010288282.tif 000012